(57)【要約】【課題】涼感やサーキュレーション効果を得るのに使用される天井取付扇風機において、地震による揺れで、天井取付扇風機が不安定になるのを防止することを目的とする。【解決手段】壁面１０に設けられる制御部６を、電源線５が接続される制御回路７と振動検出手段８とを通信線９で接続し、振動検出手段８は天井面１に対して垂直方向の振動を検出するよう配設した構成により、通常運転の振動による揺れを誤検知せず、とくに予測の難しいとされる直下型地震による初期の縦揺れが発生すると、その揺れを振動検出手段８で検出し、通電を停止するため、不安定になることを防止する天井取付扇風機を得られる。【選択図】図１
2017008899.tif 000002
【特許請求の範囲】
【請求項１】
建物の天井面に取り付けられる扇風機と、前記扇風機に接続された電源線と、前記電源線に接続される建物の壁面に取り付けられた制御部とを有し、前記制御部は振動検出手段を有し、前記振動検出手段が振動を検出すると、前記制御部は前記電源線を介して、前記扇風機への通電を停止し、前記扇風機の運転を停止する天井取付扇風機。
【請求項２】
前記振動検出手段は、前記天井面に対して垂直方向の振動を検出するように配設された請求項１に記載の天井取付扇風機。
【発明の詳細な説明】
【技術分野】
【０００１】
本発明は、建物の天井に取り付けられ、回転するファンによって送出される空気により、涼感やサーキュレーション効果を得るのに使用される天上取付型扇風機に関するものである。
【背景技術】
【０００２】
従来、この種の天井取付扇風機は、天井面に対して垂直方向に送風するものが知られている（例えば、特許文献１参照）。
【０００３】
以下、その天井取付扇風機について図４を参照しながら説明する。
【０００４】
図４に示すように、天井面１０１に設置されたファンモータ部１０２には、羽根車１０３が回動可能に取り付けられ、またファンモータ部１０２には電源線１０４が接続され、電源線１０４には速度調節器１０５が接続されており、速度調節器１０５によりファンモータ部１０２へ供給される電力量を調節し、羽根車１０３の回転数を制御する。
【０００５】
また、この種の天井取付扇風機には、取り付けられた天井面の垂直方向に対して任意の角度で旋回しながら送風するものもある（例えば、特許文献２参照）。
【０００６】
以下、その天井取付扇風機について図５を参照しながら説明する。
【０００７】
図５に示すように、天井面１０６に設置されたファンモータ部１０７は角度調節器１０８を備え、任意の角度で旋回が可能である。ファンモータ部１０７には、羽根車１０９が回動可能に取り付けられ、またファンモータ部１０７は電源線１１０が接続され、電源線１１０には速度調節器１１１が接続されており、速度調節器１１１によりファンモータ部１０７へ供給される電力量を調節し、羽根車１０９の回転数を制御する。
【先行技術文献】
【特許文献】
【０００８】
【特許文献１】特開平７−１７４３７５号公報
【特許文献２】特開昭６１−１９１２９７号公報
【発明の概要】
【発明が解決しようとする課題】
【０００９】
このような従来の天井取付扇風機においては、天井面にファンモータ部や羽根車といった重量の大きなものが設置され、羽根車が回転する構成であるため、例えば地震による建物の揺れにより、天井面が大きく揺れだすと、回転のバランスが崩れ、運転が不安定になるという課題を有していた。
【００１０】
そこで本発明は、上記従来の課題を解決するものであり、地震により建物が揺れると、ファンモータ部への通電を停止する天井取付扇風機を提供することを目的とする。
【課題を解決するための手段】
【００１１】
そして、この目的を達成するために、本発明は、制御部を建物の壁面に取り付け、制御部は振動検出手段を有し、地震により建物の壁面が揺れだすと、振動検出手段が振動を検出し、制御部からファンモータ部への通電を停止するものであり、これにより所期の目的を達成するものである。
【発明の効果】
【００１２】
本発明によれば、制御部を建物の壁面に取り付け、制御部は振動検出手段を有し、地震により建物の壁面が揺れだすと、振動検出手段が振動を検出し、制御部からファンモータ部への通電を停止する構成にしたことにより、地震による揺れが発生した場合に、ファンモータ部への通電を停止することで、天井取付扇風機が不安定になることを防止できるという効果を得ることができる。
【図面の簡単な説明】
【００１３】
【図１】本発明の実施の形態１の天井取付扇風機の構成を示す側面図
【図２】本発明の実施の形態１の制御部の構成を示す詳細図
【図３】本発明の実施の形態２の天井取付扇風機の構成を示す側面図
【図４】従来の天井取付扇風機の構成を示す斜視図
【図５】従来の天井取付扇風機の構成を示す側面図
【発明を実施するための形態】
【００１４】
本発明の請求項１記載の天井取付扇風機は、建物の天井面に取り付けられる扇風機と、前記扇風機に接続された電源線と、前記電源線に接続される建物の壁面に取り付けられた制御部とを有し、前記制御部は振動検出手段を有し、前記振動検出手段が振動を検出すると、前記制御部は前記電源線を介して、前記扇風機への通電を停止するという構成を有する。これにより、前記振動検出手段を前記扇風機に設けたことにより、通常の運転で発生し得る揺れを検出して、誤って通電を停止してしまうことを防ぎ、地震による壁面の揺れを前記振動検出手段が検知して前記制御部から前記ファンモータ部への通電を停止し、前記扇風機が不安定になるのを防止できるという効果を奏する。
【００１５】
また、前記振動検出手段による振動の検出方向を、前記天井面に対して垂直方向に配設してもよい。これにより、地震による揺れの中でも、とくに予測の難しいとされる直下型地震に対して、地震による縦方向（上下方向）の揺れを瞬時に検出し、前記扇風機が不安定になるのを防ぐという効果を奏する。
【００１６】
以下、本発明の実施の形態について図面を参照しながら説明する。
【００１７】
（実施の形態１）
図１および図２に示すように、建物の天井面１に設置される天井扇２は、ファンモータ部３と、ブレード４と、電源線５と、制御部６とから構成される。
【００１８】
ファンモータ部３は、天井面１に固定されている。
【００１９】
ブレード４は、ファンモータ部３に回動可能に接続されている。
【００２０】
制御部６は、建物の壁面１０に固定されている。
【００２１】
制御部６は、制御回路７と、振動検出手段８（たとえば、加速度センサー）とを備えている。
【００２２】
振動検出手段８は、天井面１に対して垂直方向（つまり、縦方向（上下方向））の振動を検出するように配設されている。
【００２３】
制御回路７は、振動検出手段８と通信線９で接続され、振動検出手段８で検出した振動を受信する。
【００２４】
電源線５は、ファンモータ部３と、制御回路７とを接続している。
【００２５】
このような構成によれば、制御回路７は電源線５に供給される電力量を調節し、ファンモータ部３の駆動を制御して、ブレード４の回転のＯＮ、ＯＦＦ、または回転数を変更する。
【００２６】
また、制御部６に加わる振動を振動検出手段８で検出すると、制御回路７がその信号を通信線９を介して受信し、制御回路７は通電を停止する。
【００２７】
また、振動検出手段８を、天井扇２の本体に設けず、壁面１０に取り付けられる制御部６に備えたことにより、天井扇２が通常の運転で発生し得る揺れを、振動検出手段８が誤検知することを防ぐことが出来る。
【００２８】
このため、天井扇２が、ブレード４が回転した状態で、地震による揺れが加わり、不安定な状態になることを防ぐことが出来る。
【００２９】
また、振動検出手段８を、縦方向（上下方向）の揺れを検出するように配設したことで、例えば、地震のなかでも予測の難しいとされる直下型地震による初期の縦揺れに対して、瞬時にその振動を検出し、通電を停止することで、天井扇２が不安定な状態になることを防ぐことが出来る。
【００３０】
なお、実施の形態において、制御部６を建物の壁面１０に固定したが、建物の柱に制御部６を固定しても、その効果に差異を生じない。
【００３１】
（実施の形態２）
図３において、図１および図２と同様の構成要素については同一の符号を付し、その詳細な説明は省略する。
【００３２】
建物の天井面１に設置される天井旋回扇風機１１は、旋回ファンモータ部１２と、羽根車１３と、電源線５と、制御部６とから構成される。
【００３３】
旋回ファンモータ部１２は、天井面１に対して任意の角度で旋回可能に天井面１に固定されている。
【００３４】
羽根車１３は、旋回ファンモータ部１２に回動可能に固定されている。
【００３５】
電源線５は、旋回ファンモータ部１２と制御部６とを接続している。
【００３６】
このような構成によれば、制御部６を介して供給される電力により、旋回ファンモータ部１２は任意の角度で旋回しながら、羽根車１３により風を送出する。そして、実施の形態１と同様に、地震による揺れを振動検出手段８が検出すると、旋回ファンモータ部１２の通電を停止し、天井旋回扇風機１１が、羽根車１３が回転した状態で、地震による揺れが加わり、不安定な状態になることを防ぐことが出来る。
【００３７】
また、実施の形態１と同様に、振動検出手段８を、天井旋回扇風機１１の本体に設けず、壁面１０に取り付けられる制御部６に備えたことにより、天井旋回扇風機１１が通常の運転で発生し得る揺れを、振動検出手段８が誤検知することを防ぐことが出来る。
【００３８】
また、実施の形態１と同様に、振動検出手段８を、縦方向（上下方向）の揺れを検出するように配設したことで、例えば、地震のなかでも予測の難しいとされる直下型地震による初期の縦揺れに対して、瞬時にその振動を検出し、通電を停止することで、天井旋回扇風機１１が不安定な状態になることを防ぐことが出来る。
【産業上の利用可能性】
【００３９】
本発明にかかる天井取付扇風機は、通常運転により発生し得る揺れを誤検知することなく、建物の壁面に設けられた制御部に備わる振動検出手段が地震の揺れを検出すると、天井取付扇風機の通電を停止し、とくに予測の難しいとされる直下型地震による揺れで天井取付扇風機が不安定になることを防ぐので、天井に設置される扇風機であって、涼感やサーキュレーション効果を得るのに使用される天井扇またはオート扇等として有用である。
【符号の説明】
【００４０】
１  天井面
２  天井扇
３  ファンモータ部
４  ブレード
５  電源線
６  制御部
７  制御回路
８  振動検出手段
９  通信線
１０  壁面
１１  天井旋回扇風機
１２  旋回ファンモータ部
１３  羽根車
【図１】
2017008899.tif 000003
【図２】
2017008899.tif 000004
【図３】
2017008899.tif 000005
【図４】
2017008899.tif 000006
【図５】
2017008899.tif 000007